(57)【要約】【課題】「Ｃｏｌｌｉｄｉｎｇ状況」と「Ｎｏｎ-Ｃｏｌｌｉｄｉｎｇ状況」との間で、無線基地局ｅＮＢが移動局ＵＥに対して通知する情報を変えることによって、無駄なリソースを使用すること無く、移動局ＵＥが、干渉源となっているマクロセルにおけるＣＲＳ周波数方向位置及び時間方向位置を特定する。【解決手段】本発明に係る無線基地局ｅＮＢは、自身が送信するＣＲＳの周波数方向位置及び時間方向位置が、周辺無線基地局ｅＮＢによって送信されているＣＲＳの周波数方向位置及び時間方向位置と一致しているか否かについて判定するように構成されている判定部１２と、判定部１２によって一致していると判定された場合にのみ、移動局ＵＥに対して、ＰＣＩ、かかるＣＲＳの送信ポート数及びＭＢＳＦＮ設定情報を通知するように構成されている送信部１３とを具備する。【選択図】図４
2014033416.tif 000002
【特許請求の範囲】
【請求項１】
無線基地局であって、
自身が送信するセル個別参照信号の周波数方向位置及び時間方向位置が、周辺無線基地局によって送信されているセル個別参照信号の周波数方向位置及び時間方向位置と一致しているか否かについて判定するように構成されている判定部と、
前記判定部によって一致していると判定された場合にのみ、移動局に対して、セル識別情報、該セル固有参照信号の送信ポート数及びＭＢＳＦＮ設定情報を通知するように構成されている送信部とを具備することを特徴とする無線基地局。
【請求項２】
前記送信部は、前記判定部によって一致していないと判定された場合、前記移動局に対して、セル識別情報を通知するように構成されていることを特徴とする請求項１に記載の無線基地局。
【請求項３】
前記判定部は、前記周辺無線基地局によって送信されたＡＢＳが設定されているセルの識別情報に基づいて前記判定を行うように構成されていることを特徴とする請求項１又は２に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式では、マクロセルのカバレッジエリア内にピコセルを配置する「ＣＲＥ（Ｃｅｌｌ  Ｒａｎｇｅ  Ｅｘｐａｎｓｉｏｎ）」を適用することができるように規定されている。
【０００３】
現在、ＬＴＥ規格策定会議において、かかるＣＲＥを適用した場合に、ＣＲＥ適用領域におけるＣＲＳ（Ｃｅｌｌ  ｓｐｅｃｉｆｉｃ  Ｒｅｆｅｒｅｎｃｅ  Ｓｉｇｎａｌ、セル個別参照信号） の干渉を回避する方法が議論されている。
【０００４】
図６に示すように、マクロセルとピコセルとの間で、ＣＲＳの周波数方向位置及び時間方向位置が一致するケースは、「Ｃｏｌｌｉｄｉｎｇ状況」と呼ばれている。
【０００５】
なお、ＣＲＳの周波数方向位置についてはシフトすることが可能である。一方、ＣＲＳの時間方向位置は固定されている。
【０００６】
ここで、ＣＲＳの周波数方向位置をシフトした結果、マクロセルとピコセルとの間で、ＣＲＳの周波数方向位置及び時間方向位置が一致しないケースは、「Ｎｏｎ-Ｃｏｌｌｉｄｉｎｇ状況」と呼ばれている。
【先行技術文献】
【非特許文献】
【０００７】
【非特許文献１】３ＧＰＰ  ＴＳ３６.３００
【非特許文献２】３ＧＰＰ  ＴＳ３６.３３１
【非特許文献３】３ＧＰＰ  ＴＳ３６.２１１
【発明の概要】
【発明が解決しようとする課題】
【０００８】
ＬＴＥ方式では、ピコセルを管理する無線基地局ｅＮＢは、ＣＲＥ適用領域にいる移動局ＵＥに対して、ＲＲＣ（Ｒａｄｉｏ  Ｒｅｓｏｕｒｃｅ  Ｃｏｎｔｒｏｌ）シグナリングによって、干渉源となっているマクロセルにおけるＰＣＩ（Ｐｈｙｓｉｃａｌ  Ｃｅｌｌ  ＩＤ）、ＣＲＳの送信ポート数及びＭＢＳＦＮ（Ｍｕｌｔｉｃａｓｔ/Ｂｒｏａｄｃａｓｔ  ｏｖｅｒ  Ｓｉｎｇｌｅ-Ｆｒｅｑｕｅｎｃｙ  Ｎｅｔｗｏｒｋ）の設定情報等のセル情報を通知することが合意されている。
【０００９】
移動局ＵＥは、無線基地局ｅＮＢによって通知されるセル情報を用いることによって、干渉源となっているマクロセルにおけるＣＲＳの周波数方向位置及び時間方向位置を特定することができる。
【００１０】
しかしながら、「Ｎｏｎ-Ｃｏｌｌｉｄｉｎｇ状況」では、移動局ＵＥは、かかるセル情報を用いなくても、干渉源となっているマクロセルにおけるＣＲＳの周波数方向位置及び時間方向位置を特定することができるため、かかるセル情報の通知不要であるという問題点があった。
【００１１】
そこで、本発明は、上述の課題に鑑みてなされたものであり、「Ｃｏｌｌｉｄｉｎｇ状況」と「Ｎｏｎ-Ｃｏｌｌｉｄｉｎｇ状況」との間で、無線基地局ｅＮＢが移動局ＵＥに対して通知する情報を変えることによって、無駄なリソースを使用すること無く、移動局ＵＥが、干渉源となっているマクロセルにおけるＣＲＳの周波数方向位置及び時間方向位置を特定することを可能とする無線基地局を提供することを目的とする。
【課題を解決するための手段】
【００１２】
本発明の第１の特徴は、無線基地局であって、自身が送信するセル個別参照信号の周波数方向位置及び時間方向位置が、周辺無線基地局によって送信されているセル個別参照信号の周波数方向位置及び時間方向位置と一致しているか否かについて判定するように構成されている判定部と、前記判定部によって一致していると判定された場合にのみ、移動局に対して、セル識別情報、該セル固有参照信号の送信ポート数及びＭＢＳＦＮ設定情報を通知するように構成されている送信部とを具備することを要旨とする。
【発明の効果】
【００１３】
以上説明したように、本発明によれば、「Ｃｏｌｌｉｄｉｎｇ状況」と「Ｎｏｎ-Ｃｏｌｌｉｄｉｎｇ状況」との間で、無線基地局ｅＮＢが移動局ＵＥに対して通知する情報を変えることによって、無駄なリソースを使用すること無く、移動局ＵＥが、干渉源となっているマクロセルにおけるＣＲＳの周波数方向位置及び時間方向位置を特定することを可能とする無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る無線基地局の動作を示すフローチャートである。
【図５】本発明の第１の実施形態に係る無線基地局の動作を示すフローチャートである。
【図６】従来技術について説明するための図である。
【発明を実施するための形態】
【００１５】
（本発明の第１の実施形態に係る移動通信システム）
図１乃至図５を参照して、本発明の第１の実施形態に係る移動通信システムについて説明する。
【００１６】
図１に示すように、本実施形態に係る移動通信システムは、ＬＴＥ方式の移動通信システムであって、セル＃１を管理する無線基地局ｅＮＢ＃１と、セル＃２を管理する無線基地局ｅＮＢ＃２と、セル＃３を管理する無線基地局ｅＮＢ＃３と、セル＃１０を管理する無線基地局ｅＮＢ＃１０とを具備している。
【００１７】
ここで、図１の例では、セル＃１〜セル＃３が、マクロセルであり、セル＃１０が、ピコセルであり、セル＃１のカバレッジエリア内に、セル＃１０が配置されているものとする。
【００１８】
図２に示すように、本実施形態に係る無線基地局ｅＮＢ＃１０は、受信部１１と、判定部１２と、送信部１３とを具備している。
【００１９】
受信部１１は、周辺無線基地局ｅＮＢ＃１〜＃３から、「Ｘ２  ｓｅｔｕｐメッセージ」や「ｅＮＢ  ｃｏｎｆｉｇｕｒａｔｉｏｎ  ｕｐｄａｔｅ  ａｎｄ  ｌｏａｄ  ｉｎｆｏｒｍａｔｉｏｎ」等のＸ２-ＡＰメッセージを受信するように構成されている。
【００２０】
ここで、かかるＸ２-ＡＰメッセージには、周辺無線基地局ｅＮＢ＃１〜＃３配下のセルのうち、ＡＢＳ（Ａｌｍｏｓｔ  Ｂｌａｎｋ  Ｓｕｂｆｒａｍｅ）が設定されているセルのＰＣＩが含まれている。
【００２１】
判定部１２は、無線基地局ｅＮＢ＃１０自身が送信するＣＲＳの周波数方向位置及び時間方向位置が、周辺無線基地局ｅＮＢ＃１〜＃３によって送信されているＣＲＳの周波数方向位置及び時間方向位置と一致しているか否かについて判定するように構成されている。
【００２２】
すなわち、判定部１２は、セル＃１〜＃３に対して、セル＃１０とセル＃１〜＃３との間でＣＲＳの周波数方向位置及び時間方向位置が一致している「Ｃｏｌｌｉｄｉｎｇ状況」となっているのか、それとも、セル＃１０とセル＃１〜＃３との間でＣＲＳの周波数方向位置及び時間方向位置が一致していない「Ｎｏｎ-Ｃｏｌｌｉｄｉｎｇ状況」となっているのかについて判定するように構成されている。
【００２３】
例えば、判定部１２は、周辺無線基地局ｅＮＢ＃１〜＃３によって送信されたＸ２-ＡＰメッセージに含まれるＡＢＳが設定されているセルのＰＣＩに基づいて、上述の判定を行うように構成されていてもよい。
【００２４】
具体的には、判定部１２は、かかるＰＣＩを用いて、ＣＲＳの周波数方向位置を特定することができる。
【００２５】
ここで、ＰＣＩによって特定されるセルにおけるＣＲＳの周波数方向位置は、「ＰＣＩ  ｍｏｄ  ６」によって決定される。なお、各セルにおけるＣＲＳの時間方向位置は固定されている。
【００２６】
この結果、判定部１２は、上述のＰＣＩに基づいて、上述の判定を行うことができる。
【００２７】
或いは、移動局ＵＥが、サービングセル（セル＃１０）以外に検出した周辺セル（干渉源となり得るセル＃１〜＃３）のＰＣＩを「Ｍｅａｓｕｒｅｍｅｎｔ  Ｒｅｐｏｒｔ」で報告し、判定部１２は、かかるＰＣＩに基づいて、上述の判定を行うように構成されていてもよい。
【００２８】
送信部１３は、セル＃１０配下のセル＃１０に位置する移動局ＵＥに対して、各種信号を送信するように構成されている。
【００２９】
例えば、送信部１３は、判定部１２による判定結果に基づいて、移動局ＵＥに対して通知するセル情報を変更するように構成されている。
【００３０】
「Ｃｏｌｌｉｄｉｎｇ状況」では、セル＃１０とセル＃１〜＃３との間で、ＣＲＳの周波数方向位置及び時間方向位置が一致しているため、移動局ＵＥは、無線基地局ｅＮＢ＃１０から干渉源となっているセル＃１〜＃３についてのセル情報を貰わないと、かかるセル＃１〜＃３における干渉信号（ＣＲＳ）を除去することができず、ＲＲＭ（Ｒａｄｉｏ  Ｒｅｓｏｕｒｃｅ  Ｍａｎａｇｅｍｅｎｔ）やＲＬＭ（Ｒａｄｉｏ  Ｌｉｎｋ  Ｍａｎａｇｅｍｅｎｔ）やＣＳＩ（Ｃｈａｎｎｅｌ  Ｓｔａｔｅ  Ｉｎｄｉｃａｔｏｒ）報告の特性が劣化してしまう。
【００３１】
したがって、判定部１２によってセル＃１〜＃３に対して「Ｃｏｌｌｉｄｉｎｇ状況」となっていると判定された場合、すなわち、セル＃１０とセル＃１〜＃３との間でＣＲＳの周波数方向位置及び時間方向位置が一致していると判定された場合には、送信部１３は、移動局ＵＥに対して、セル＃１〜＃３に係るセル情報、すなわち、セル＃１〜＃３に係るＰＣＩ、かかるＣＲＳの送信ポート数及びＭＢＳＦＮ設定情報を通知するように構成されている。
【００３２】
一方、「Ｎｏｎ-Ｃｏｌｌｉｄｉｎｇ状況」では、セル＃１０とセル＃１〜＃３との間で、ＣＲＳの周波数方向位置及び時間方向位置が一致していないため、実装依存ではあるが、移動局ＵＥは、無線基地局ｅＮＢ＃１０から干渉源となっているセル＃１〜＃３についてのセル情報を貰わなくても、干渉源となっているセル＃１〜＃３におけるＣＲＳの周波数方向位置及び時間方向位置を推定することができる。
【００３３】
したがって、判定部１２によってセル＃１〜＃３に対して「Ｎｏｎ-Ｃｏｌｌｉｄｉｎｇ状況」となっていると判定された場合、すなわち、セル＃１０とセル＃１〜＃３との間でＣＲＳの周波数方向位置及び時間方向位置が一致していないと判定された場合には、送信部１３は、移動局ＵＥに対して、セル＃１〜＃３に係るセル情報を通知しないように構成されていてもよい。
【００３４】
なお、移動局ＵＥが、復調処理（ｄｅｍｏｄｕｌａｔｉｏｎ）を目的としたセル＃１〜＃３における干渉信号の除去を行うことを考慮して、判定部１２によってセル＃１〜＃３に対して「Ｎｏｎ-Ｃｏｌｌｉｄｉｎｇ状況」となっていると判定された場合に、送信部１３は、移動局ＵＥに対して、セル＃１〜＃３に係るＰＣＩを通知するように構成されていてもよい。
【００３５】
図３に示すように、本実施形態に係る移動局ＵＥは、受信部２１と、干渉除去部２２とを具備している。
【００３６】
受信部２１は、サービングセル（例えば、セル＃１０）から各種信号を受信するように構成されている。
【００３７】
例えば、受信部２１は、サービングセル（例えば、セル＃１０）から、上述のセル情報を受信するように構成されている。
【００３８】
干渉除去部２２は、サービングセルの周辺セル（例えば、干渉源となっているセル＃１〜＃３）における干渉信号（ＣＲＳ）を除去するように構成されている。
【００３９】
例えば、「Ｃｏｌｌｉｄｉｎｇ状況」では、干渉除去部２２は、無線基地局ｅＮＢ＃１０によって通知されたセル情報に基づいて、セル＃１〜＃３における干渉信号（ＣＲＳ）を除去することができるように構成されている。
【００４０】
具体的には、干渉除去部２２は、無線基地局ｅＮＢ＃１０によって通知されたセル情報（ＰＣＩやＣＲＳの送信ポート数やＭＢＳＦＮサブフレームの設定情報）に基づいて、干渉源となっているセル＃１〜＃３におけるＣＲＳの周波数方向位置及び時間方向位置とセル＃１０におけるＣＲＳの周波数方向位置及び時間方向位置とが、全アンテナで一致しているか否かについて判定することができる。
【００４１】
ここで、干渉除去部２２は、一致すると判定した場合、干渉源となっているセル＃１〜＃３のＰＣＩ系列から、レプリカ信号を生成し、受信信号からレプリカ信号成分を除去することで、セル＃１０における受信信号のレベルを干渉信号に対して相対的に上げることができ、ＳＩＲを改善することができる。
【００４２】
また、「Ｎｏｎ-Ｃｏｌｌｉｄｉｎｇ状況」では、干渉除去部２２は、自律的に、セル＃１〜＃３における干渉信号を除去することができるように構成されている。
【００４３】
なお、「Ｎｏｎ-Ｃｏｌｌｉｄｉｎｇ状況」において、無線基地局ｅＮＢ＃１０によってセル＃１〜＃３に係るＰＣＩが通知されている場合、干渉除去部２２は、かかるＰＣＩによって、送信ポート＃０におけるＣＲＳの周波数方向位置を把握することができるため、干渉源となっているセル＃１〜＃３を特定するまでの時間を短縮することができる可能性がある。
【００４４】
以下、図４及び図５を参照して、本実施形態に係る無線基地局ｅＮＢ＃１０の動作について説明する。
【００４５】
図４に示すように、ステップＳ１０１において、無線基地局ｅＮＢ＃１０は、セル＃１〜＃３に対して「Ｃｏｌｌｉｄｉｎｇ状況」となっているか否かについて判定する。
【００４６】
具体的には、図５に示すように、無線基地局ｅＮＢ＃１０は、ステップＳ２０１において、周辺無線基地局ｅＮＢ＃１〜＃３によって送信されたＸ２-ＡＰメッセージから、ＡＢＳが設定されているセルのＰＣＩを検出し、ステップＳ２０２において、かかるＰＣＩに基づいて、かかるセルにおけるＣＲＳの周波数方向位置を算出し、ステップＳ２０３において、かかる算出結果に基づいて、Ｃｏｌｌｉｄｉｎｇ状況」であるか否かについて判定する。
【００４７】
無線基地局ｅＮＢ＃１０は、セル＃１〜＃３に対して「Ｃｏｌｌｉｄｉｎｇ状況」になっていると判定した場合、ステップＳ１０２において、セル＃１０における移動局ＵＥに対して、セル＃１〜＃３に係るセル情報（ＰＣＩやＣＲＳの送信ポート数やＭＢＳＦＮサブフレームの設定情報）を通知する。
【００４８】
一方、無線基地局ｅＮＢ＃１０は、セル＃１〜＃３に対して「Ｃｏｌｌｉｄｉｎｇ状況」になっていないと判定した場合、ステップＳ１０３において、セル＃１０における移動局ＵＥに対して、セル＃１〜＃３に係るセル情報（ＰＣＩやＣＲＳの送信ポート数やＭＢＳＦＮサブフレームの設定情報）を通知しない。
【００４９】
なお、無線基地局ｅＮＢ＃１０は、セル＃１〜＃３に対して「Ｃｏｌｌｉｄｉｎｇ状況」になっていないと判定した場合であっても、ステップＳ１０３において、セル＃１０における移動局ＵＥに対して、セル＃１〜＃３に係るＰＣＩのみ通知してもよい。
【００５０】
本実施形態に係る発明によれば、無線基地局ｅＮＢ＃１０は、セル＃１〜＃３に対して「Ｃｏｌｌｉｄｉｎｇ状況」になっていると判定した場合と、セル＃１〜＃３に対して「Ｎｏｎ-Ｃｏｌｌｉｄｉｎｇ状況」になっていると判定した場合とで、セル＃１０における移動局ＵＥに対して通知するセル情報の内容を変えることによって、リソースの浪費を回避しつつ、移動局ＵＥに対して干渉信号の除去を適切に行わせることができる。
【００５１】
以上に述べた本実施形態の特徴は、以下のように表現されていてもよい。
【００５２】
本実施形態の第１の特徴は、無線基地局ｅＮＢであって、自身が送信するＣＲＳ（セル個別参照信号）の周波数方向位置及び時間方向位置が、周辺無線基地局ｅＮＢによって送信されているＣＲＳの周波数方向位置及び時間方向位置と一致しているか否かについて判定するように構成されている判定部１２と、判定部１２によって一致していると判定された場合にのみ、移動局ＵＥに対して、ＰＣＩ（セル識別情報）、かかるＣＲＳの送信ポート数及びＭＢＳＦＮ設定情報を通知するように構成されている送信部１３とを具備することを要旨とする。
【００５３】
本実施形態の第１の特徴において、送信部１３は、判定部１２によって一致していないと判定された場合、移動局ＵＥに対して、ＰＣＩを通知するように構成されていてもよい。
【００５４】
かかる構成によれば、移動局ＵＥが、かかるＰＣＩに基づいて、復調処理を目的としたセル＃１〜＃３における干渉信号（ＣＲＳ）の位置を一部特定できるため、かかる干渉信号（ＣＲＳ）の除去を行うための時間を短縮することができる。
【００５５】
本実施形態の第１の特徴において、判定部１２は、周辺無線基地局ｅＮＢによって送信されたＡＢＳが設定されているセルのＰＣＩに基づいて、上述の判定を行うように構成されていてもよい。
【００５６】
かかる構成によれば、ＡＢＳは、周辺無線基地局ｅＮＢ＃１〜＃３配下のセル＃１〜＃３からの無線基地局ｅＮＢ＃１０への干渉を低減させるために、周辺無線基地局ｅＮＢ＃１〜＃３配下のセル＃１〜＃３において設定される機能であり、ＡＢＳが設定されていることで干渉源となっている周辺無線基地局ｅＮＢ＃１〜＃３配下のセル＃１〜＃３であると判定することができ、上述の判定を行うことができる。
【００５７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ＵＥ…移動局
ｅＮＢ…無線基地局
１１、２１…受信部
１２…判定部
１３…送信部
２２…干渉除去部
【図１】
2014033416.tif 000003
【図２】
2014033416.tif 000004
【図３】
2014033416.tif 000005
【図４】
2014033416.tif 000006
【図５】
2014033416.tif 000007
【図６】
2014033416.tif 000008